(57)【要約】【課題】  例えば駅構内の階段をエスカレ−タに架け替える際に好適で、既設階段の上に仮設階段を架設し、乗降客の通行の安全性と円滑性、並びに快適性を確保しながら既設階段を撤去するとともに、仮設階段を順次エスカレ−タに架け替え、合理的な施工と利用を図り、しかも従来の仮囲いを廃止し若しくは仮囲い期間を大幅に短縮して、作業の迅速化と工期の短縮化並びに工費の低減を図れる、仮設階段の施工法およびエスカレ−タの設置工法並びに仮設階段を提供すること。【解決手段】  既設階段１２と略同位置に仮設階段２２を設置する仮設階段の施工法であること。  前記既設階段１２の直上に仮設階段２２を設置する。  前記仮設階段２２の設置後、既設階段１２を撤去する。【選択図】        図１                         
2005067844.tif 000002
【特許請求の範囲】
【請求項１】
既設階段と略同位置に仮設階段を設置する仮設階段の施工法において、既設階段の直上に仮設階段を設置し、該仮設階段の設置後、既設階段を撤去するようにしたことを特徴とする仮設階段の施工法。
【請求項２】
前記仮設階段と既設階段との縦断面形状を略同形に形成し、これらを互いに咬合
配置する請求項１記載の仮設階段の施工法。
【請求項３】
前記仮設階段を既設階段の上方から吊り下げて支持する請求項１記載の仮設階段の施工法。
【請求項４】
前記仮設階段の吊り下げ位置を調節可能にする請求項３記載の仮設階段の施工法。
【請求項５】
前記仮設階段と既設階段との間に微小な間隙を設ける請求項１記載の仮設階段の施工法
【請求項６】
前記既設階段を幅方向に複数に区画し、その区画境界部に沿って仮設階段の仮設ササラ桁を設置し、その相対する仮設ササラ桁間に、既設階段に対応して複数のステップ板を着脱可能に架設する請求項１記載の仮設階段の施工法。
【請求項７】
前記仮設ササラ桁を上方から吊り下げて支持する請求項６記載の仮設階段の施工法。
【請求項８】
前記相対する仮設ササラ桁間を仮設階段の昇降方向に沿って複数に区画し、その
区画毎に前記ステップ板を着脱可能に取り付ける請求項６記載の仮設階段の施工法。
【請求項９】
前記相対する仮設ササラ桁間の一部域に前記ステップ板を着脱可能に取り付け、仮設ササラ桁間の他部域に既設階段を表出させ、仮設階段と既設階段とを混用可能にする請求項８記載の仮設階段の施工法。
【請求項１０】
前記各仮設ササラ桁間に前記ステップ板を着脱可能に取り付け後、一部のステップ板を取り外して既設階段を表出させ、該表出した既設階段を取り壊す請求項８記載の仮設階段の施工法。
【請求項１１】
所定の既設階段を取り壊し後、当該部に前記ステップ板を取り付け、仮設階段の使用を復旧する請求項１０記載の仮設階段の施工法。
【請求項１２】
既設階段と略同位置にエスカレ−タを設置するエスカレ−タの設置工法において、既設階段の直上に仮設階段を設置し、該仮設階段の設置後、既設階段を撤去し、前記仮設階段の一部または全部を解体後、該仮設階段と略同位置にエスカレ−タを設置するようにしたことを特徴とするエスカレ−タの設置工法。
【請求項１３】
前記仮設階段を上方から吊り下げて支持する請求項１２記載のエスカレ−タの設置工法
【請求項１４】
前記仮設階段を吊り下げる懸吊装置の支持部材を介しエスカレ−タを吊り込む請求項１２記載のエスカレ−タの設置工法。
【請求項１５】
前記仮設階段を幅方向に複数に区画し、該区画毎に仮設階段を解体してエスカレ−タを設置する請求項１２記載のエスカレ−タの設置工法。
【請求項１６】
前記仮設階段を幅方向に区画する仮設ササラ桁間に着脱可能に架設したステップ板を取り外し、その空隙部に沿ってエスカレ−タを設置する請求項１２記載のエスカレ−タの設置工法。
【請求項１７】
前記仮設階段とエスカレ−タを混用可能にする請求項１６記載のエスカレ−タの設置工法。
【請求項１８】
既設階段と略同位置に設置する仮設階段において、既設階段の上方から吊り下げて支持したことを特徴とする仮設階段。
【請求項１９】
前記仮設階段の吊り下げ位置を調節可能にした請求項１8記載の仮設階段。
【請求項２０】
前記仮設階段を幅方向に複数に区画し、その区画境界部に沿って仮設ササラ桁を設置し、その相対する仮設ササラ桁間に、複数のステップ板を着脱可能に架設した請求項１８記載の仮設階段。
【請求項２１】
前記仮設階段を昇降方向に複数に分割し、その相対する仮設ササラ桁間に、複数のステップ板を着脱可能に架設した請求項２０記載の仮設階段。
【請求項２２】
前記仮設ササラ桁を上方から吊り下げて支持した請求項２０記載の仮設階段。
【請求項２３】
前記各仮設ササラ桁を複数の懸吊装置で支持し、該懸吊装置を仮設ササラ桁に着脱可能に取り付けた請求項２０記載の仮設階段。
【請求項２４】
前記相対する仮設ササラ桁間を昇降方向に沿って複数に区画し、その区画毎に前記ステップ板を着脱可能に架設した請求項２０記載の仮設階段。
【請求項２５】
前記相対する仮設ササラ桁の全部または一部と、仮設ササラ桁間のステップ板と、仮設ササラ桁を吊り下げる懸吊装置とを取り外し、前記相対する仮設ササラ桁位置の間にエスカレ−タを設置可能にした請求項２０記載の仮設階段。
【発明の詳細な説明】
【技術分野】
【０００１】
本発明は、例えば駅構内の階段をエスカレ−タに架け替える際に好適で、既設階段の上に仮設階段を架設し、乗降客の通行の安全性と円滑性、並びに快適性を確保しながら既設階段を撤去するとともに、仮設階段を順次エスカレ−タに架け替え、合理的な施工と利用を図り、しかも従来の仮囲いを廃止し若しくは仮囲い期間を大幅に短縮して、作業の迅速化と工期の短縮化並びに工費の低減を図れる、仮設階段の施工法およびエスカレ−タの設置工法並びに仮設階段に関する。
【背景技術】
【０００２】
例えば駅構内の階段をエスカレ−タに架け替える場合、従来は階段周辺を長期間仮囲いし、該階段を全面または半分閉鎖して階段と床を撤去し、当該部にエスカレ−タを搬入して設置する方法が採られていた。
したがって、この場合はエスカレ−タと別所に代替階段または仮設階段を用意し、その設置スペ−スの確保を要する等して、工期が長期化し工費が嵩むという問題があった。
一方、前記架け替え工事の間、乗降客は代替階段または仮設階段に応じて、乗降位置を変え、通行位置を変えて通行することとなり、しかも狭隘で混雑する不便な乗降を余儀無くされていた。
【０００３】
従来、このような問題の解決に応じられるものとして、並設された二台のエスカレ−タを撤去し、新規に二台のエスカレ−タを設置する際、二台のエスカレ−タを撤去後、据付現場の上方階および下方階に固定した一方の新設エスカレ−タのフレ−ムに、階段状に配置した踏板を有する仮設用階段と、二台の新設エスカレ−タの据付現場を仕切る仕切板とを配置し、この後、仮設用階段を設置していない側の据付現場で、新設エスカレ−タの据付作業を行ない、既設エスカレ−タの撤去後、一方の新設エスカレ−タに設けた仮設用階段によって、利用者の通行を速やかに確保するようにしていた（例えば、特許文献１〜３）。
【０００４】
しかし、この従来の装置は、既設エスカレ−タの撤去時は、当該位置の通行が不可能になり、また他方の新設エスカレ−タの設置後、仮設用階段の取り外しと、一方の新設エスカレ−タの組み立てとを要し、それらの作業が煩雑で手間が掛かるとともに、前記仮設用階段は新設エスカレ−タの内側に設置しているため狭隘で、通行が窮屈な上に通行量に制約があり、しかも仮設用階段はフレ−ムに単に固定しているため、強度に不安があり、また揺れ易い等の問題があった。
特に、駅構内に設置したエスカレ−タを架け替える場合は、通常は線閉時下の限られた時間での作業となるため、迅速な作業が望まれ、かつその間の代替の仮設階段にしても、多数の利用客が見込まれるため、通行の安全性や円滑性、快適性を配慮する必要があり、前述の従来装置では対応できなかった。
【０００５】
【特許文献１】特開平６−２５５９６７号公報
【特許文献２】特開平７−１０４５０号公報
【特許文献３】特開平７−２１５６４７号公報
【発明の開示】
【発明が解決しようとする課題】
【０００６】
本発明はこのような問題を解決し、例えば駅構内の階段をエスカレ−タに架け替える際に好適で、既設階段の上に仮設階段を架設し、乗降客の通行の安全性と円滑性、並びに快適性を確保しながら既設階段を撤去するとともに、仮設階段を順次エスカレ−タに架け替え、合理的な施工と利用を図り、しかも従来の仮囲いを廃止し若しくは仮囲い期間を大幅に短縮して、作業の迅速化と工期の短縮化並びに工費の低減を図れる、仮設階段の施工法およびエスカレ−タの設置工法並びに仮設階段を提供することを目的とする。
【課題を解決するための手段】
【０００７】
請求項１の発明は、既設階段と略同位置に仮設階段を設置する仮設階段の施工法において、既設階段の直上に仮設階段を設置し、該仮設階段の設置後、既設階段を撤去するようにして、仮設階段を合理的かつ安全に施工し得るようにしている。
請求項２の発明は、前記仮設階段と既設階段との縦断面形状を略同形に形成し、これらを互いに咬合配置するようにして、仮設階段の小形軽量化と設置スペ−スのコンパクト化、階高の抑制等を図るようにしている。
請求項３の発明は、前記仮設階段を既設階段の上方から吊り下げて支持するようにして、仮設階段の安全性と安定性を図るようにしている。
【０００８】
請求項４の発明は、前記仮設階段の吊り下げ位置を調節可能にして、仮設階段の位置調節を実現し、その安定化を図るようにしている。
請求項５の発明は、前記仮設階段と既設階段との間に微小な間隙を設けて、仮設階段の自立を図り、既設階段の撤去後の仮設階段の下方変位や変形を防止するようにしている。
請求項６の発明は、前記既設階段を幅方向に複数に区画し、その区画境界部に沿って仮設階段の仮設ササラ桁を設置し、その相対する仮設ササラ桁間に、既設階段に対応して複数のステップ板を着脱可能に架設するようにして、仮設階段の区画毎にステップ板の着脱を実現し、既設階段の部分的な撤去を可能にしている。
【０００９】
請求項７の発明は、前記仮設ササラ桁を上方から吊り下げて支持するようにして、仮設階段の合理的かつ安定した支持を実現している。
請求項８の発明は、前記相対する仮設ササラ桁間を仮設階段の昇降方向に沿って複数に区画し、その区画毎に前記ステップ板を着脱可能に取り付けるようにして、区画毎に仮設階段と既設階段の混用を実現し、仮設階段の施工途中でも前記階段を閉鎖することなく、従前通りの利用を確保するようにしている。
請求項９の発明は、前記相対する仮設ササラ桁間の一部域に前記ステップ板を着脱可能に取り付け、仮設ササラ桁間の他部域に既設階段を表出させ、仮設階段と既設階段とを混用可能にして、仮設階段の施工途中での利用を実現し、仮設階段の施工途中でも前記階段を閉鎖することなく、従前通りの利用を確保するようにしている。
【００１０】
請求項１０の発明は、前記各仮設ササラ桁間に前記ステップ板を着脱可能に取り付け後、一部のステップ板を取り外して既設階段を表出させ、該表出した既設階段を取り壊すようにして、既設階段の取り壊しを容易かつ合理的に行なうようにしている。
請求項１１の発明は、所定の既設階段を取り壊し後、当該部に前記ステップ板を取り付け、仮設階段の使用を復旧するようにして、既設階段の取り壊しと仮設階段の使用を実現するようにしている。
【００１１】
請求項１２の発明は、既設階段と略同位置にエスカレ−タを設置するエスカレ−タの設置工法において、既設階段の直上に仮設階段を設置し、該仮設階段の設置後、既設階段を撤去し、前記仮設階段の一部または全部の解体後、該仮設階段と略同位置にエスカレ−タを設置するようにして、仮設階段の一部または全部を解体することによって、エスカレ−タを容易かつ迅速に設置し得るようにしている。
【００１２】
請求項１３の発明は、前記仮設階段を上方から吊り下げて支持するようにして、仮設階段を周辺部材との機械的な関係を遮断し、その設置や撤去を容易に行なえるようにしている。
請求項１４の発明は、前記仮設階段を吊り下げる懸吊装置の支持部材を介しエスカレ−タを吊り込むようにして、エスカレ−タの吊り込み用部材と支持部材とを別設する不合理を排し、支持部材を合理的に使用するようにしている。
請求項１５の発明は、前記仮設階段を幅方向に複数に区画し、該区画毎に仮設階段を解体してエスカレ−タを設置するようにして、エスカレ−タの設置を合理的に施工するとともに、仮設階段との混用を実現させている。
【００１３】
請求項１６の発明は、前記仮設階段を幅方向に区画する仮設ササラ桁間に着脱可能に架設したステップ板を取り外し、その空隙部に沿ってエスカレ−タを設置するようにして、エスカレ−タを合理的に設置するようにしている。
請求項１７の発明は、前記仮設階段とエスカレ−タを混用可能にするようにして、エスカレ−タ設置時の応急的な通路を確保し、その合理的な利用を図るようにしている。
【００１４】
請求項１８の発明は、既設階段と略同位置に設置する仮設階段において、既設階段の上方から吊り下げて支持し、仮設階段を安定して支持するとともに、周辺部材からの機械的な関係を遮断し、その設置や撤去ないし解体を容易かつ速やかに行なえるようにしている
請求項１９の発明は、前記仮設階段の吊り下げ位置を調節可能にし、仮設階段の安定性と設置の正確性を図るようにしている。
請求項２０の発明は、前記仮設階段を幅方向に複数に区画し、その区画境界部に沿って仮設ササラ桁を設置し、その相対する仮設ササラ桁間に、複数のステップ板を着脱可能に架設して、前記区画毎の仮設階段の組み立てを実現し、施工の合理化と容易化を図るようにしている。
【００１５】
請求項２１の発明は、前記仮設階段を昇降方向に複数に分割し、その相対する仮設ササラ桁間に、複数のステップ板を着脱可能に架設して、仮設階段の搬入や組付け、或いは撤去を容易に行なえるようにしている。
請求項２２の発明は、前記仮設ササラ桁を上方から吊り下げて支持し、仮設階段を合理的かつ安定して支持するようにしている。
請求項２３の発明は、前記各仮設ササラ桁を複数の懸吊装置で支持し、該懸吊装置を仮設ササラ桁に着脱可能に取り付け、仮設階段の組み付けと解体の容易化を図るようにしている。
【００１６】
請求項２４の発明は、前記相対する仮設ササラ桁間を昇降方向に沿って複数に区画し、その区画毎に前記ステップ板を着脱可能に架設して、仮設階段の組み付けと解体の容易化を図るようにしている。
請求項２５の発明は、前記相対する仮設ササラ桁の全部または一部と、仮設ササラ桁間のステップ板と、仮設ササラ桁を吊り下げる懸吊装置とを取り外し、前記相対する仮設ササラ桁位置の間にエスカレ−タを設置可能にして、エスカレ−タを容易かつ円滑に設置し得るようにしている。
【発明の効果】
【００１７】
請求項１の発明は、既設階段の直上に仮設階段を設置し、該仮設階段の設置後、既設階段を撤去するようにしたから、仮設階段を合理的かつ安全に施工することができる。
請求項２の発明は、前記仮設階段と既設階段との縦断面形状を略同形に形成し、これらを互いに咬合配置するようにしたから、仮設階段の小形軽量化と設置スペ−スのコンパクト化、階高の抑制等を図ることができる。
請求項３の発明は、前記仮設階段を既設階段の上方から吊り下げて支持するようにしたから、仮設階段の安全性と安定性を図ることができる。
請求項４の発明は、前記仮設階段の吊り下げ位置を調節可能にしたから、仮設階段の位置調節を実現し、その安定化と正確を設置を図ることができる。
請求項５の発明は、前記仮設階段と既設階段との間に微小な間隙を設けたから、仮設階段の自立を図り、既設階段の撤去後の仮設階段の下方変位や変形を防止することができる
【００１８】
請求項６の発明は、前記既設階段を幅方向に複数に区画し、その区画境界部に沿って仮設階段の仮設ササラ桁を設置し、その相対する仮設ササラ桁間に、既設階段に対応して複数のステップ板を着脱可能に架設するようにしたから、仮設階段の区画毎にステップ板の着脱を実現し、既設階段の部分的な撤去を実現することができる。
請求項７の発明は、前記仮設ササラ桁を上方から吊り下げて支持するようにしたから、仮設階段を合理的かつ安定して支持することができる。
請求項８の発明は、前記相対する仮設ササラ桁間を仮設階段の昇降方向に沿って複数に区画し、その区画毎に前記ステップ板を着脱可能に取り付けるようにしたから、区画毎に仮設階段と既設階段の混用を実現し、仮設階段の施工途中でも前記階段を閉鎖することなく、従前通りの利用を確保することができる。
【００１９】
請求項９の発明は、前記相対する仮設ササラ桁間の一部域に前記ステップ板を着脱可能に取り付け、仮設ササラ桁間の他部域に既設階段を表出させ、仮設階段と既設階段とを混用可能にしたから、仮設階段の施工途中での利用を実現し、仮設階段の施工途中でも前記階段を閉鎖することなく、従前通りの利用を確保することができる。
請求項１０の発明は、前記各仮設ササラ桁間に前記ステップ板を着脱可能に取り付け後、一部のステップ板を取り外して既設階段を表出させ、該表出した既設階段を取り壊すようにしたから、既設階段の取り壊しを容易かつ合理的に行なうことができる。
請求項１１の発明は、所定の既設階段を取り壊し後、当該部に前記ステップ板を取り付け、仮設階段の使用を復旧するようにしたから、既設階段の取り壊しと仮設階段の使用を実現することができる。
【００２０】
請求項１２の発明は、既設階段の直上に仮設階段を設置し、該仮設階段の設置後、既設階段を撤去し、前記仮設階段の一部または全部の解体後、該仮設階段と略同位置にエスカレ−タを設置するようにしたから、仮設階段の一部または全部を解体することによって、エスカレ−タを容易かつ迅速に設置することができる。
請求項１３の発明は、前記仮設階段を上方から吊り下げて支持するようにしたから、仮設階段を周辺部材との機械的な関係から遮断し、その設置や撤去を容易に行なうことができる。
請求項１４の発明は、前記仮設階段を吊り下げる懸吊装置の支持部材を介しエスカレ−タを吊り込むようにしたから、エスカレ−タの吊り込み用部材と支持部材とを別設する不合理を排し、支持部材を合理的に使用することができる。
【００２１】
請求項１５の発明は、前記仮設階段を幅方向に複数に区画し、該区画毎に仮設階段を解体してエスカレ−タを設置するようにしたから、エスカレ−タの設置を合理的に施工できるとともに、仮設階段との混用を実現することができる。
請求項１６の発明は、前記仮設階段を幅方向に区画する仮設ササラ桁間に着脱可能に架設したステップ板を取り外し、その空隙部に沿ってエスカレ−タを設置するようにしたから、エスカレ−タを合理的に設置することができる。
請求項１７の発明は、前記仮設階段とエスカレ−タとを混用可能にするようにしたから、エスカレ−タ設置時の応急的な通路を確保し、その合理的な利用を図ることができる
【００２２】
請求項１８の発明は、仮設階段を既設階段の上方から吊り下げて支持するようにしたから、仮設階段を安定して支持できるとともに、周辺部材からの機械的な関係を遮断し、その設置や撤去ないし解体を容易かつ速やかに行なうことができる。
請求項１９の発明は、前記仮設階段の吊り下げ位置を調節可能にしたから、仮設階段の安定性と設置の正確性を図ることができる。
請求項２０の発明は、前記仮設階段を幅方向に複数に区画し、その区画境界部に沿って仮設ササラ桁を設置し、その相対する仮設ササラ桁間に、複数のステップ板を着脱可能に架設したから、前記区画毎の仮設階段の組み立てを実現し、施工の合理化と容易化を図ることができる。
【００２３】
請求項２１の発明は、前記仮設階段を昇降方向に複数に分割し、その相対する仮設ササラ桁間に、複数のステップ板を着脱可能に架設したから、仮設階段の搬入や組付け、或いは撤去を容易に行なうことができる。
請求項２２の発明は、前記仮設ササラ桁を上方から吊り下げて支持したから、仮設階段を合理的かつ安定して支持することができる。
請求項２３の発明は、前記各仮設ササラ桁を複数の懸吊装置で支持し、該懸吊装置を仮設ササラ桁に着脱可能に取り付けたから、仮設階段の組み付けと解体の容易化を図ることができる。
【００２４】
請求項２４の発明は、前記相対する仮設ササラ桁間を昇降方向に沿って複数に区画し、その区画毎に前記ステップ板を着脱可能に架設したから、仮設階段の組み付けと解体の容易化を図ることができる。
請求項２５の発明は、前記相対する仮設ササラ桁の全部または一部と、仮設ササラ桁間のステップ板と、仮設ササラ桁を吊り下げる懸吊装置とを取り外し、前記相対する仮設ササラ桁位置の間にエスカレ−タを設置可能にしたから、エスカレ−タを容易かつ円滑に設置することができる。
【発明を実施するための最良の形態】
【００２５】
以下、本発明を駅構内に設置した鉄筋コンクリ−ト製の乗降用階段をエスカレ−タへ架け替える工事に適用した図示の実施形態について説明すると、図１乃至図２３において１はコンクリ−ト製のホ−ム床スラブ２を敷設したプラットホ−ムで、地面に立設した支持桁３に載置されている。
【００２６】
前記プラットホ−ム１の直下に、複数の上屋基礎４が所定位置に設置され、該上屋基礎４にホ−ム上屋支柱５がプラットホ−ム１を貫通して立設されている。前記支柱５の上端部に支持梁６，７が縦横に架設され、これら支柱５および支持梁６，７の上に、コンコ−ス８および後述する階段を挟んで配置した駅務室と休憩室（図示略）の床面を形成する階上床スラブ９が架設されている。
図中、１０は支持梁７，７間に掛け渡した中間梁、１１は前記駅務室と休憩室の階段側を区画する仕切壁で、前記コンコ−ス８とプラットホ−ム１との間に、既設階段である鉄筋コンクリ−ト製の一対の乗降用階段１２が、コンコ−ス８を挟んで前後に架設されている。
【００２７】
前記乗降用階段１２は、Ｈ型鋼製の上下一対のササラ桁１３，１４と、該ササラ桁１３，１４上に架設された鉄筋コンクリ−ト製の階段スラブ１５とで構成され、このうち下側ササラ桁１３は、下端部を地上に立設した基台１６に支持され、上端部を地上に立設した基礎支柱１７に支持されている。
また、上側ササラ桁１４は、下端部を前記基礎支柱１７に支持され、上端部を前記支持梁６に支持されていて、前記基礎支柱１７上で上下側ササラ桁１３，１４の端部を接合している。
【００２８】
前記階段スラブ１５は、上下側階段スラブ１８，１９と、それらの間に配置した水平な中間踊り場２０とで構成され、このうち上下側階段スラブ１８，１９は、互いに対をなすステップ踏部１５ａと、ステップ段部１５ｂの複数組からなり、前記上側階段スラブ１８の上端部を前記コンコ−ス８に位置付け、下側階段スラブ１９の下端部を前記プラットホ−ム１に位置付けている。
また、前記中間踊り場２０は、前記上下側ササラ桁１３，１４の接合部上に設けられ、前記乗降用階段１２上に微小な間隙２１を設けて、仮設階段２２が吊り下げられて架設されている。
【００２９】
前記仮設階段２２は、前記乗降用階段１２よりも若干幅狭に形成され、その昇降方向に沿う縦断面形状は乗降用階段１２とのそれと略同形に形成され、これらが互いに咬合配置されている。
すなわち、前記仮設階段２２の階段部は、前記乗降用階段１２と実質的に同一に構成され、その幅方向の両側と略中央部とに鉄骨製の仮設ササラ桁２３〜２５を配置していて、該仮設階段２２はその昇降方向の中間位置で分割して構成されている。
このうち、両側に配置した仮設ササラ桁２３，２４は、図１０のようにコ字形断面の鉄骨を対称に配置し、また略中央に配置した仮設ササラ桁２５は、前述と同様の鉄骨のフランジ部端縁に鉄板を溶接して略箱形に形成している。
【００３０】
前記仮設ササラ桁２３，２４は、上部仮設桁２３ａ〜２５ａと下部仮設桁２３ｂ〜２５ｂとに分かれ、その上下端部に張出桁部２３ｃ〜２５ｃ、２３ｄ〜２５ｄと、２３ｅ〜２５ｅ、２３ｆ〜２５ｆとを屈曲して形成している。
そして、前記張出桁部２３ｃ〜２５ｃをコンコ−ス８上に配置し、また張出桁部２３ｆ〜２５ｆをプラットホ−ム１上に配置し、更に張出桁部２３ｄ〜２５ｄと２３ｅ〜２５ｅとを前記中間踊り場２０の直上に配置している。
【００３１】
前記仮設ササラ桁２５は仮設階段２２の幅を左右に区画し、該ササラ桁２５で区画される仮設ササラ桁２３，２５の間隔と、仮設ササラ桁２４，２５との間隔は、共に後述するエスカレ−タの幅と略同幅か若干幅広に形成されている。
実施形態では、前記仮設ササラ桁２５を仮設階段２２の中心よりも若干偏心して配置し、該仮設ササラ桁２３，２５の間隔を、仮設ササラ桁２４，２５の間隔よりも若干幅広に形成していて、この幅広な仮設ササラ桁２３，２５間に、後述の並設する一方のエスカレ−タを最初に設置するようにしている。
【００３２】
前記上部仮設桁２３ａ〜２５ａと、下部仮設桁２３ｂ〜２５ｂの一側または両側に、複数のステップ取付金具２６〜２９が、既設の乗降用階段１５のステップ踏部１５ａのピッチと等ピッチに配置され、かつ着脱可能に取り付けられていて、その相対するステップ取付金具２６，２７および２８，２９の屈曲片２６ａ〜２９ａ間に、ステップ板３０，３１が着脱可能に取り付けられている。
【００３３】
すなわち、前記上部仮設桁２３ａ〜２５ａと、下部仮設桁２３ｂ〜２５ｂの一側または両側の同高位置に複数の通孔（図示略）が形成され、該孔の開口部に同様なナット３２が溶接等で固定され、該ナット３２に同様なボルト３３をねじ込んで、前記ステップ取付金具２６〜２９を着脱可能に取り付けている。
【００３４】
また、前記屈曲片２６ａ〜２９ａの同高位置に複数の通孔（図示略）が形成され、該孔の開口部に同様なボルト３４が下側から挿入されて溶接等で固定され、屈曲片２６ａ〜２９ａの上面に突出した螺軸に同様な袋ナット３５をねじ込んで、前記ステップ板３０，３１を着脱可能に取り付けている。
この場合、ナット３２を固定する代わりにボルト３３を固定しても良く、その場合は例えばナット３５を屈曲片２６ａ〜２９ａの裏面に固定し、上面からボルト３４をねじ込むようにすれば良い。
【００３５】
前記ステップ板３０，３１は、図８のように略Ｚ字形断面の鋼板で構成され、その表面に公知の凹凸状の滑り止めが形成され、その両端部に目隠し片３０ａ，３０ｂ、３１ａ，３１ｂが互いに反対向きに屈曲されている。
そして、隣接するステップ板３０，３１の目隠し片３０ａ，３０ｂ、３１ａ，３１ｂを上下に対向配置し、これらを継手板３６，３７で着脱可能に連結している。
【００３６】
すなわち、前記目隠し片３０ａ，３０ｂ、３１ａ，３１ｂと継手板３６，３７の対応位置に通孔（図示略）が形成され、このうち目隠し片３０ａ，３０ｂ、３１ａ，３１ｂの通孔の裏側開口部に同様なナット３８，３９が溶接等で固定され、該ナット３８，３９にボルト４０，４１をねじ込んで、目隠し片３０ａ，３０ｂ、３１ａ，３１ｂを着脱可能に連結している。
この場合、ナット３８，３９を固定する代わりに、継手板３６，３７により目隠し片３０ａ，３０ｂ、３１ａ，３１ｂを固定し、その変形を防ぐためにボルト４０，４１を固定しても良い。
【００３７】
一方、前記仮設ササラ桁２３〜２５の上下端部の張出桁部２３ｃ〜２５ｃと、２３ｆ〜２５ｆの一側または両側に、複数のステップ取付金具４２〜４９が着脱可能に取り付けられ、その相対する屈曲片の間に、ステップ板３０，３１よりも幅広な覆工板を兼ねるステップ板５０〜５３が着脱可能に取り付けられている。
【００３８】
前記取付金具４２〜４９は、前記取付金具２６〜２９よりも若干小形の相似形状に形成され、前記張出桁部２３ｃ〜２５ｃと、２３ｆ〜２５ｆの一側または両側に複数の通孔（図示略）が形成され、該孔の開口部に同様なナット（図示略）が溶接等で固定され、該ナットに同様なボルト５４をねじ込んで、前記ステップ取付金具４２〜４９を着脱可能に取り付けている。
【００３９】
また、前記取付金具４２〜４９の屈曲片４２ａ〜４９ａに通孔が形成され、該孔の開口部に同様なボルト５５が下側から挿入されて溶接等で固定され、前記屈曲片の上面に突出した螺軸に同様な袋ナット５６をねじ込んで、前記ステップ板５０〜５３を着脱可能に取り付けている。
この場合、袋ナットを固定する代わりにボルト５５を固定しても良く、その場合は例えば通常のナット５６を屈曲片４２ａ〜４９ａの下面に固定し、上面からボルト５５をねじ込むようにすれば良い。
【００４０】
前記ササラ桁２３ｃ〜２３ｃと２３ｆ〜２３ｆの端部は、コンコ−ス８またはプラットホ−ム１上に配置され、固定ボルト（図示略）を介して不動に設置されている。
前記ステップ板５０〜５３の一端に目隠し片５０ａ〜５３ａが屈曲形成され、該目隠し片５０ａ〜５３ａを近接の継手板３６，３７に着脱可能に連結している。
【００４１】
一方、前記張出桁部２３ｄ〜２５ｄと２３ｅ〜２５ｅの端部が、図８のように前記中間踊り場２０の直上に水平に突き合わせて配置され、それらの両側面を一対の連結板５６で当てがい、これをボルト・ナット５７を介して連結している。
前記張出桁部２３ｄ〜２５ｄと２３ｅ〜２５ｅの一側または両側に、床板取付金具５８〜６１が着脱可能に取り付けられ、その相対する屈曲片の間に前記ステップ板５０〜５３と同大か若干幅広な踊り場用床板６２，６３が着脱可能に取り付けられている。
【００４２】
前記床板取付金具５８〜６１は、前記取付金具４２〜４９と略同大に形成され、前記張出桁部２３ｄ〜２５ｄと２３ｅ〜２５ｅの一側または両側に複数の通孔（図示略）が形成されている。
前記通孔の開口部に同様なナット（図示略）が溶接等で固定され、該ナットに同様なボルト６４をねじ込んで、前記床板取付金具５８〜６１を着脱可能に取り付けている。
【００４３】
前記取付金具５８〜６１の屈曲片５８ａ〜６１ａに通孔が形成され、該孔の開口部に同様なボルト６５が下側から挿入されて溶接等で固定され、前記屈曲片の上面に突出した螺軸に同様な袋ナット６６をねじ込んで、前記踊り場用床板６２，６３を着脱可能に取り付けている。
この場合、ボルト６５を固定する代わりに袋ナット６６を固定しても良く、その場合は通常のナット６６を屈曲片の下面に固定し、屈曲片の上面からボルト６５をねじ込むようにすれば良い。
【００４４】
前記仮設ササラ桁２３〜２５の上部仮設桁２３ａ〜２５ａと下部仮設桁２３ｂ〜２５ｂ、およびその上下端部の張出桁部２３ｃ〜２５ｃ、２３ｆ〜２５ｆに、懸吊装置６７ａ，６７ｂ，６７ｃ〜７４ａ，７４ｂ，７４ｃの下端部が取り付けられ、その上端部が直上の架設梁８４，８５または支持梁７に取り付けられている。
前記懸吊装置６７ａ，６７ｂ，６７ｃ〜７４ａ，７４ｂ，７４ｃは、各上下端部の取り付け位置と、その懸吊長さが相違する他は実質的に同一に構成され、これらは実施形態の場合、可搬性と取り扱いの便宜上、上部仮設桁２３ａ〜２５ａと下部仮設桁２３ｂ〜２５ｂ、張出桁部２３ｃ〜２５ｃ、２３ｆ〜２５ｆの長さ方向に近接配置した一対で構成されている。
【００４５】
これを仮設階段２２の中間部に配置した懸吊装置７１ａ，７１ｂ，７１ｃで説明すると、図８および図１１のように下部仮設桁２３ｂ，２４ｂ，２５ｂの上端部に、一対の固定金具７５と７５を近接して溶接し、該金具７５にボルト・ナット７６を介して羽子板７７を連結し、該羽子板７７にタ−ンバックルを構成する一方のスクリュ−シャフト７８を固定している。
実施形態では羽子板７７に縦溝を形成し、該溝にスクリュ−シャフト７８の下端部を挿入して溶接している。
【００４６】
一方、仮設階段２２の上方に掛け渡した支持梁７，７間に中間梁７９が架設され、該中間梁７９の上端部に短小な架橋梁８０が固定され、該架橋梁８０に一対の羽子板８１と８１が取り付けられ、該羽子板８１にタ−ンバックルを構成する他方のスクリュ−シャフト８２が固定されている。
実施形態では羽子板８１に縦溝を形成し、該溝にスクリュ−シャフト８２の上端部を挿入して溶接している。
【００４７】
そして、前記上下一対のスクリュ−シャフト７８，８２間に、タ−ンバックル操作リンク８３が回動可能に取り付けられ、該リンク８３の回動操作を介して、スクリュ−シャフト７８，８２を近接離反変位させ、それらの張力を調節可能にしている。
【００４８】
前記架設梁８４，８５は、仮設階段２２に臨む階上床スラブ９の開口部８６上方に架設した、前記懸吊装置６７ａ，６７ｂ，６７ｃ〜７４ａ，７４ｂ，７４ｃの支持部材である門型フレ−ム８７を構成し、該フレ−ム８７は前記階上床スラブ９上に立設した各一対の仮設支柱８８，８９と、これら各仮設支柱８８，８９間に架け渡した架設梁９１と、前記架設梁９１の略中央に直交して架け渡した架設梁８５と、架設梁９１の両端部に直交して架け渡した架設梁８４と、架設梁８４，８４間に架け渡した複数の中間梁（図示略）とからなっている。
【００４９】
図中、９０は前記門型フレ−ム８７からコンコ−ス８寄りに張り出して立設した仮設支柱、９０ａは仮設支柱９０と架設梁８４との間に架け渡した仮設梁で、これらは中間梁（図示略）と共に門型フレ−ムを構成し、後述のエスカレ−タを吊り上げて設置する際に架設され、設置後は撤去可能にされている。
【００５０】
前記架設梁８４，８４は上部仮設桁２３ａ，２４ａの上方に位置し、架設梁８５は上部仮設桁２５ａの上方に位置し、架設梁８４上に箱形の固定枠９２が固定され、該固定枠９２にスクリュ−シャフト８２を溶接した羽子板９３が取り付けられている。
【００５１】
この他、図中９４，９５は仮設階段２２の仮設ササラ桁２３〜２５に沿って設けた手摺で、手摺９４，９４は仮設ササラ桁２３，２４の内側に架設され、手摺９５は仮設ササラ桁２５の中央に架設されていて、懸吊装置６７ｂ〜７４ｂとの干渉を回避し、複数に分割されている。
９６は前記開口部８６の周縁の階上スラブ９に立設した仕切壁で、仮設支柱８９，９０の周囲を囲繞しており、９７，９８は前記仮設階段２２の撤去後に並設したエスカレ−タで、該エスカレ−タ９７，９８は実質的に同一に構成されている。
【００５２】
前記エスカレ−タ９７，９８は、ステップ９９，１００と、ステップ９９，１００が周回動するスカ−トガ−ド１０１，１０２と、エスカレ−タ９７，９８の両側を区画する一対の欄干１０３，１０４とを備え、かつこれらをその長さ方向に沿って図１７（ａ）〜（ｃ）のように、上部フレ−ム９７ａ，９８ａと中間フレ−ム９７ｂ，９８ｂと下部フレ−ム９７ｃ，９８ｃとに三分割可能にしている。
【００５３】
そして、前記三分割の状態で施工現場、つまりプラットホ−ム１に搬入し、その設置時に図１７（ｄ）のようにプラットホ−ム１上で、中間フレ−ム９７ｂ，９８ｂと下部フレ−ム９７ｃ，９８ｃとを組み立て、先ず上部フレ−ム９７ａ，９８ａをチェ−ンブロック等で吊り上げて設置し、次いで下部フレ−ムアセンブリを吊り上げて上部フレ−ム９７ａ，９８ａに連結し、設置するようにしている。この状況は図１８乃至図２１のようである
【００５４】
図中、１０５，１０６は前記エスカレ−タ９７，９８の上下端部に位置する階上スラブ９とプラットホ−ム１に形成したピットで、エスカレ−タ９７，９８の上下端部を収容可能にしており、常時は前記ステップ板５０〜５３で閉塞されている。
この他、１０９はプラットホ−ム１上に設置したホ−ム事務室、１１０は既設の乗降用階段１２撤去後に仮設階段２２の動揺を防止する揺れ止め部材で、複数の支柱を筋交いを交えて中間踊り場の直下に立設している。
１１１は前記エスカレ−タ９７，９８の各分割フレ−ムを載置可能な台車、１１２は支持梁７および架設梁８４に取り付けたチェ−ンブロック（図示略）に掛け渡したワイヤで、該ワイヤ１１２に前記各エスカレ−タ９７，９８の各部を掛け止め可能にしている。
【００５５】
このように構成した本発明の仮設階段の施工法およびエスカレ−タの設置工法によって、図３に示す既設の乗降用階段１２をエスカレ−タ９７，９８に架け替える場合は、これら一連の作業を乗降客のいない深夜の線閉時下で施工する。
先ず、既設の乗降用階段１２の上部両側に面する間仕切壁（図示略）を一部撤去し、乗降用階段１２の上部両側に仕切壁９６を設置し、また施工現場の階上床スラブ９下にコンコ−ス床梁（図示略）を架設し、施工現場のコンコ−ス８の周辺を補強する。
【００５６】
次に、前記補強したコンコ−ス８上に門型フレ−ム８７を架設する。この門型フレ−ム８７の架設は、コンコ−ス８の開口部８６に臨む階上床スラブ９上に各一対の仮設支柱８８，８９を立設し、これら各仮設支柱８８，８９間に架設梁９１を架け渡し、該架設梁９１の略中央と両端部に架設梁８５，８４を直交して架け渡し、架設梁８４，８４間に複数の中間梁（図示略）を架け渡す。また、前記門型フレ−ム８７の架設と前後して、ホ−ム事務室１０９を撤去する。
【００５７】
このような状況の下で既設の乗降用階段１２上の両側と略中央に、仮設階段２２の仮設ササラ桁２３〜２５を設置する。これらの仮設ササラ桁２３〜２５は、それぞれ上下に二分割された状態で現場に搬入され、それらに固定金具７５と手摺９４，９５が予め取り付けられている。
前記仮設ササラ桁２３〜２５は、それぞれ上下に二分割され、仮設階段２２の一側に設置する仮設ササラ桁２３の上部側は、上部仮設桁２３ａと張出桁部２３ｃ，２３ｄとで一体に構成され、下部側は下部仮設桁２３ｂと張出桁部２３ｅ，２３ｆとで一体に構成され、これらを乗降用階段１２の一側に配置し、それらの端部を仮設階段２２の中高位置、つまり中間踊り場２０上で突き合わせて、連結板５６で連結する。
【００５８】
次に、仮設階段２２の他側に設置する仮設ササラ桁２４の上部側は、上部仮設桁２４ａと張出桁部２４ｃ，２４ｄとで一体に構成され、下部側は下部仮設桁２４ｂと張出桁部２４ｅ，２４ｆとで一体に構成され、これらを乗降用階段１２の他側に配置し、それらの端部を仮設階段２２の中高位置、つまり中間踊り場２０で突き合わせて、連結板５６で連結する。
【００５９】
最後に、仮設階段２２の略中央に設置する仮設ササラ桁２５の上部側は、上部仮設桁２５ａと張出桁部２５ｃ，２５ｄとで一体に構成され、下部側は下部仮設桁２５ｂと張出桁部２５ｅ，２５ｆとで一体に構成され、これらを乗降用階段１２の略中央に配置し、それらの端部を仮設階段２２の中高位置、つまり中間踊り場２０上で突き合わせて、連結板５６で連結する。
【００６０】
そして、前記仮設ササラ桁２３〜２５の全域に懸吊装置６７ａ，６７ｂ，６７ｃ〜７４ａ，７４ｂ，７４ｃの下端部を取り付け、その上端部を支持梁７と架設梁８５に取り付ける。
前記懸吊装置６７ａ，６７ｂ，６７ｃ〜７４ａ，７４ｂ，７４ｃは、羽子板７７，９３と一体の上下一対のスクリュ−シャフト７８，８２に、予めタ−ンバックル操作リンク８３を連結した状態で施工現場に搬入し、その下端部の羽子板７７を固定金具７５にボルト・ナット７６で連結し、上端部の羽子板９３を予め取り付けて置いた架橋梁８０と固定梁９２にボルト・ナットで連結する。
【００６１】
この後、前記仮設ササラ桁２３〜２５の対向位置に、ステップ取付金具２６，２７，４６，４７と床板取付金具５８，５９を取り付け、前記金具の屈曲片にステップ板３０，５２と踊り場用床板６２を取り付ける。
その際、人手や作業時間が制約される作業条件の下で、前記取り付け作業を一時に行なうことは難しく、またその作業途中のままでは、既設の乗降用階段１５や仮設階段２２の何れの利用もできなくなって具合悪い。
【００６２】
そこで、実施形態では作業能力や作業条件に応じて、前記取り付け作業を仮設階段２２の左右に分け、または更にそれらの上下側に分けて作業することとしている。
したがって、最も作業能力が低い場合は仮設階段２２の左右何れか一方で、その上下側の何れか一方を作業する。
【００６３】
例えば、仮設階段２２の前記幅広側の下側区域、つまり下部仮設桁２３ｂおよび張出桁部２３ｅ，２３ｆと、下部仮設桁２５ｂおよび張出桁部２５ｅ，２５ｆとで区画される下側半部域を作業する場合は、前記仮設ササラ桁２３の下側半部と、仮設ササラ桁２５の下側半部の相対する内面の所定位置に、ステップ取付金具２６，２７，４６，４７と床板取付金具５８，５９を取り付ける。
前記金具の取り付けは、各ボルト３３，５４，６４を各ササラ桁２３，２５に予め固定したナット３２にねじ込んで行なう。
【００６４】
この後、前記金具の屈曲片２６ａ，２７ａ間にステップ板３０を取り付け、屈曲片４６ａ，４７ａ間にステップ板５２を取り付け、屈曲片５８ａ，５９ａ間に踊り場用床板６２を取り付ける。
前記ステップ板３０，５２と踊り場用床板６２の取り付けは、各屈曲片に固定したボルト３４またはナットに、袋ナット３５，５６またはボルトをねじ込んで行なう。この後、ステップ板５２をプラットホ−ム１上にねじ止めする。
【００６５】
こうして取り付けたステップ板３０，５２と踊り場用床板６２は、既設の乗降用階段２２のステップ踏部１５ａと、中間踊り場２０の直上に位置し、各ステップ段部１５ｂの前部に一対の目隠し片３０ａ，３０ｂが上下に離間して位置し、また目隠し片５２ａと目隠し片３０ａが上下に離間して位置する。
そこで、継手板３６を目隠し片３０ａ，３０ｂ間の所定位置に配置し、前記目隠し片３０ａ，３０ｂに予め固定したナット３８にボルト４０をねじ込んで連結する。同様に、継手板３７を目隠し片３０ａ，５２ａ間の所定位置に配置し、前記目隠し片３０ａ，５２ａに予め固定したナット３９にボルト４１をねじ込んで連結する。
【００６６】
このように、ステップ取付金具２６，２７，４６，４７と床板取付金具５８，５９、およびステップ板３０，５２と踊り場用床板６２，並びに継手板３６，３７の取り付けは、ボルト・ナットのねじ込み作業で簡便であり、しかもこの作業を既設の乗降用階段２２の上方から行なえるから、不自然な作業姿勢を強いられることなく容易かつ迅速に行なえる
【００６７】
前記懸吊装置６７ａ，６７ｂ，６７ｃ〜７４ａ，７４ｂ，７４ｃを取り付け後、各タ−ンバックル操作リンク８３を回動操作し、スクリュ−シャフト７８，８２を近接変位させて、それらの張力を調節して、仮設階段２２を既設の乗降用階段１２上に吊り上げ、仮設階段２２と乗降用階段１２との間に微小な間隙２１を設け、仮設階段２２の自立を図る。
【００６８】
こうして下側の仮設ササラ桁２３，２５で区画される幅広側の下側半部域に、ステップ板３０，５２と踊り場用床板６２を取り付け、また前記懸吊装置６７ａ，６７ｂ，６７ｃ〜７４ａ，７４ｂ，７４ｃを介し、仮設階段２２を吊り上げた状態で所定の作業を終了し、この状態で仮設階段２２が使用される。
【００６９】
このように仮設階段２２の工事途中で部分的な使用に供しても、前記下側半部域は既設の乗降用階段１２より若干幅狭であるが、ステップ板３０，５２や踊り場用床板６２は乗降用階段１２と略同位置であり、また懸吊装置６７ａ，６７ｂ，６７ｃ〜７４ａ，７４ｂ，７４ｃによって、上載荷重に十分堪えられ、振動や揺れにも堪えられるから、乗降用階段１２の利用時と遜色なく利用できる。
【００７０】
この場合の仮設階段２２と乗降用階段１２の状況は、前記幅広側の下側区域のみが仮設階段２２に覆工され、この他の幅広側の上側半部域と、仮設ササラ桁２４,２５で区画される幅狭側の上下側全域とは、仮設階段２２の未着工域で既設の乗降用階段１２が表出し、この乗降用階段１２の利用が続行される。
したがって、この場合の利用状況は仮設階段２２と乗降用階段１２の利用が混在し、前記仮設階段２２の未着工域は、既設の乗降用階段１２より若干幅狭で、上下のスクリュ−シャフト７８,８２が林立する若干猥雑さはあるが、乗降用階段１２は従来と略同様の利用が可能になる。
【００７１】
そして、前記のように仮設階段２２と乗降用階段１２の利用を混在しながらも、既設の乗降用階段１２の位置で従来と略同様な通行を図れるから、従来のように乗降用階段１２を閉鎖し、別所の代替階段の確保や、乗降客に対する乗降位置の変更や移動を強いる不具合がない。
【００７２】
このような利用状況を確保しながら、次期線閉下の作業時に前記幅広側の上側区域、つまり上部仮設桁２３ａおよび張出桁部２３ｃ，２３ｄと、上部仮設桁２５ａおよび張出桁部２５ｃ，２５ｄとで区画される上側半部域に、ステップ取付金具２６，２７，４２，４３と床板取付金具５８，５９を取り付け、これらにステップ板３０，５０と踊り場用床板６２とを、前述同様にボルトまたはナットのねじ込みによって取り付け、ステップ板５０を階上スラブ９にネジ止めする。
【００７３】
この後、各タ−ンバックル操作リンク８３を回動操作し、スクリュ−シャフト７８，８２を近接変位させて、それらの張力を調節し直し、仮設階段２２を既設の乗降用階段１２上に吊り上げ、仮設階段２２と乗降用階段１２との間に微小な間隙２１を設け、仮設階段２２の自立を図る。
このようにすることで、既設の乗降用階段１２の片側半部が仮設階段２２に覆工され、当該部の利用が可能になる。したがって、この状況下での仮設階段２２の利用は、仮設階段２２と乗降用階段１２の利用が混在するが、前述の場合に比べ仮設階段２２の利用域が増加する分、円滑かつ違和感なく通行できる。
【００７４】
こうして、既設の乗降用階段１２の片側半部を仮設階段２２に覆工後、他側の幅狭側を前述と同様に施工する。
これを例えば上下側半部域づつ施工する場合は、施工後毎に各タ−ンバックル操作リンク８３を回動操作し、スクリュ−シャフト７８，８２を近接変位させて、それらの張力を調節し直し、仮設階段２２を既設の乗降用階段１２上に吊り上げ、仮設階段２２と乗降用階段１２との間に微小な間隙２１を設け、この状態で仮設階段２２の利用に供する。
【００７５】
そして、既設の乗降用階段１２の全域を仮設階段２２に覆工後、各タ−ンバックル操作リンク８３を回動操作し、スクリュ−シャフト７８，８２を近接変位させて、それらの張力を調節し直し、仮設階段２２を既設の乗降用階段１２上に吊り上げ、仮設階段２２と乗降用階段１２との間に微小な間隙２１を設けて、仮設階段２２の自立を図り、この状態で仮設階段２２の利用に供する。この状況は図１のようである。
この場合は、仮設階段２２だけの利用になり、前述のような既設の乗降用階段１２との混在した利用から解消され、その円滑かつ快適な通行が可能になる。
【００７６】
このような状況の下で次期線閉下の作業時に、仮設階段２２のステップ板３０，３１や踊り場用床板６２，６３を取り外し、その開口部からブレ−カ−やエア−ハンマ−、エア−ドライバ−（共に図示略）等の作業機器や工具を使用して、乗降用階段１２の階段スラブ１５を取り壊す。
【００７７】
この場合、上記取り壊し作業は、仮設階段２２のステップ板３０，３１や踊り場用床板６２，６３の取り外し作業と、ブレ−カ−やエア−ハンマ−、エア−ドライバ−（共に図示略）等による取り壊し作業と、取り壊し後のステップ板３０，３１や踊り場用床板６２，６３の復旧作業を伴い、手間が掛かるため、作業能力や作業条件に応じて、前記一連の作業を仮設階段２２ないし乗降用階段１２を複数域に分けて作業することとしている
実施形態では仮設階段２２ないし乗降用階段１２の上側または下側、若しくはその両側から順次施工している。
【００７８】
すなわち、前記エア−ドライバ−を駆使して、仮設階段２２ないし乗降用階段１２の上側または下側、若しくはその両側の施工域に位置する継手板３６，３７を取り外し、相対するステップ取付金具２６〜２９を取り外して、ステップ板３０，３１を取り外し、直下の乗降用階段１２を表出させる。
そして、前記ブレ−カ−やエア−ハンマ−を駆使し、施工域の階段スラブ１５を取り壊し、その所定域を取り壊し後、前記ステップ取付金具２６〜２９を取り付け、また継手板３６，３７を取り付け、それらを復旧させたところで所定の作業を終了し、仮設階段２２の利用に供する。
【００７９】
このように階段スラブ１５を取り壊し途中で仮設階段２２の使用に供しても、仮設階段２２は懸吊装置６７ａ，６７ｂ，６７ｃ〜７４ａ，７４ｂ，７４ｃによって支持され、また所定より自立を促されているから、上載荷重に十分堪えられ下方変位や変形もなく、通行の安全性を確保できる。
この後、次期線閉下の作業時に隣接する別の施工域を作業し、前述と同様の要領で階段スラブ１５を取り壊し、ステップ板３０，３１や踊り場用床板６２，６３を復旧させて、仮設階段２２の使用を図る。
【００８０】
以降、同様な取り壊し作業を繰り返し、階段スラブ１５を全て取り壊したところで、既設支持梁６に代わる本設支持梁６ａの設置と、既設支持梁６と上下側ササラ桁１３，１４を撤去し、同時に基礎支柱１７を撤去して、仮設階段２２のみの架設状態とし、その中間部に筋交いを交えて揺れ止め部材１１０を架設する。
この状況は図４のようで、この状態で仮設階段２２が使用される。
この場合、仮設階段２２は懸吊装置６７ａ，６７ｂ，６７ｃ〜７４ａ，７４ｂ，７４ｃによって支持され、所期の自立を促されているから、上載荷重に十分堪えられ下方変位や変形もなく、また揺れ止め部材１１０で揺動を防止されているから、通行の安全性を確保できる。
【００８１】
こうして仮設階段２２の利用を確保しながら、次期線閉下の作業時にエスカレ−タ９７，９８の設置に備えて、コンコ−ス８とプラットホ−ム１の所定位置、つまり前記ステップ板５０〜５３の直下にピット１０５，１０６を設置する。
このうち、ピット１０５は階上スラブ９の直下の所定位置を隔壁で囲繞して形成し、ピット１０６はプラットホ−ム１の所定のホ−ム床スラブ２ａおよび基礎１６を撤去して形成する。
【００８２】
この後、コンコ−ス８上に一対の仮設支柱９０を立設し、これらと架設梁８４との間に仮設梁９０ａを架け渡し、この架設フレ−ムを門型フレ−ム８７に連結して、エスカレ−タ９７，９８の吊り上げ作業に備える。
【００８３】
このような状況の下で次期線閉下の作業時に、作業時間が拘束される条件の下では並設するエスカレ−タ９７，９８のうち、何れか一方のエスカレ−タ９７をプラットホ−ム１上に搬入する。
前記エスカレ−タ９７は予め工場等で三分割され、その上部フレ−ム９７ａと、中間フレ−ム９７ｂと、下部フレ−ム９７ｃをそれぞれ台車１１１の載せて、プラットホ−ム１上に搬入し、このうち中間フレ−ム９７ｂと下部フレ−ム９７ｃとを、図１７（ｄ）のようにプラットホ−ム１上で組み付けて、設置時期を待機させる。
したがって、従来のように種々の構成部品を施工現場に搬入し、これらを施工現場でいちいち組み付ける手間と煩雑を解消し、その設置作業を迅速に行なえる。
【００８４】
一方、エスカレ−タ９７，９８の設置に際して、仮設階段２２の仮設ササラ桁２３〜２５と、ステップ板３０，３１、踊り場用床板６２，６３、懸吊装置６７ａ，６７ｂ，６７ｃ〜７４ａ，７４ｂ，７４ｃ等を取り外す必要がある。
その場合、作業時間が拘束される条件の下では、仮設階段２２の左右の何れか一方の側、実施形態では前記幅広側の片側域、つまり仮設ササラ桁２３，２５で区画される片側域に前記エスカレ−タ９７を設置している。
【００８５】
このため、前記幅広側の片側域に設置した一方の仮設ササラ桁２３と、該ササラ桁２３に取り付けた懸吊装置６７ａ〜７４ａと、ステップ板３０と、踊り場用床板６２を取り外す。
すなわち、前記懸吊装置６７ａ〜７４ａに対応する上下の羽子板７７，９３を取り外し、上下一対のスクリュ−シャフト７８，８２とタ−ンバックル操作リンク８３とを一体に取り外し、また相対するステップ取付金具２６，２７，４２，４３，４６，４７と、床板取付金具５８，５９とを取り外し、これらと一体のステップ板３０と、踊り場用床板６２とを取り外し、前記幅広側の片側域を空隙部に形成する。
【００８６】
このような状況の下で、先ず前記エスカレ−タ９７の上部フレ−ム９７ａを設置し、次いで中間フレ−ム９７ｂと下部フレ−ム９７ｃのアセンブリを設置し、これらを連結する
この設置状況は図１８乃至図２１のようで、支持梁７の所定位置に複数のチェ−ンブロック（図示略）を取り付け、これらにワイヤ１１２を掛け渡し、該ワイヤ１１２を上部フレ−ム９７ａの所定位置に掛け止め、チェ−ンブロックを操作して上部フレ−ム９７ａを吊り上げる。
【００８７】
そして、チェ−ンブロックを順次架け替えながら、上部フレ−ム９７ａを前記仮設階段２２に形成した空隙部の上方に沿って移動し、その前端部が前記ピット１０５上に移動したところで、上部フレ−ム９７ａを下降し、ピット１０５上に設置する。
次に、中間フレ−ム９７ｂと下部フレ−ム９７ｃのアセンブリの所定位置に前記ワイヤ１１２を掛け止め、チェ−ンブロックを操作して前記フレ−ムアセンブリを吊り上げる。
【００８８】
そして、チェ−ンブロックを順次架け替えながら、前記フレ−ムアセンブリを前記仮設階段２２に形成した空隙部の上方に沿って移動し、その後端部が前記ピット１０６上に移動したところで、前記フレ−ムアセンブリを下降し、ピット１０６上に設置する。
前記設置後、上部フレ−ム９７ａとフレ−ムアセンブリを連結し、それらを整備点検し、エスカレ−タ９７の運転を可能にしたところで、所定の作業を終了し、エスカレ−タ９７と仮設階段２２の利用に供する。
この場合はエスカレ−タ９７の利用と、仮設階段２２の幅狭側の利用が混在した形になり、その利用形態に差異はあるが、応急的な利用に応じられる。
【００８９】
このようなエスカレ−タ９７と仮設階段２２の利用を確保しながら、次期線閉下の作業時に、前記幅狭側の片側域に設置した仮設ササラ桁２４，２５、該ササラ桁２４，２５に取り付けた懸吊装置６７ｂ〜７４ｂと６７ｃ〜７４ｃ、ステップ板３１と、踊り場用床板６３を取り外す。
すなわち、前記懸吊装置６７ｂ〜７４ｂと６７ｃ〜７４ｃに対応する上下の羽子板７７，９３を取り外し、上下一対のスクリュ−シャフト７８，８２とタ−ンバックル操作リンク８３とを一体に取り外し、また相対するステップ取付金具２８，２９，４４，４５，４８，４９と、床板取付金具６０，６１とを取り外し、これらと一体のステップ板３１と、踊り場用床板６３とを取り外し、前記幅狭側の片側域を空隙部に形成する。
【００９０】
このような状況の下で他方のエスカレ−タ９８を施工現場に搬入する。すなわち、前記エスカレ−タ９８は予め工場等で三分割され、これは前述のエスカレ−タ９７と同様に上部フレ−ム９８ａと、中間フレ−ム９８ｂと、下部フレ−ム９８ｃをそれぞれ台車１１１の載せて、プラットホ−ム１上に搬入し、このうち中間フレ−ム９８ｂと下部フレ−ム９８ｃとを、図１７（ｄ）のようにプラットホ−ム１上で組み付けて、設置時期を待機させる。
【００９１】
前記エスカレ−タ９８の設置は、前述のエスカレ−タ９７と同様に行なわれ、この設置状況は図１８乃至図２１のようで、支持梁７の所定位置に複数のチェ−ンブロック（図示略）を取り付け、これらにワイヤ１１２を掛け渡し、該ワイヤ１１２を上部フレ−ム９８ａの所定位置に掛け止め、チェ−ンブロックを操作して上部フレ−ム９８ａを吊り上げる
【００９２】
そして、チェ−ンブロックを順次架け替えながら、上部フレ−ム９８ａを前記仮設階段２２に形成した空隙部の上方に沿って移動し、その前端部が前記ピット１０５上に移動したところで、上部フレ−ム９８ａを下降し、ピット１０５上に設置する。
次に、中間フレ−ム９８ｂと下部フレ−ム９８ｃのアセンブリの所定位置に前記ワイヤ１１２を掛け止め、チェ−ンブロックを操作して前記フレ−ムアセンブリを吊り上げる。
【００９３】
そして、チェ−ンブロックを順次架け替えながら、前記フレ−ムアセンブリを前記仮設階段２２に形成した空隙部の上方に沿って移動し、その後端部が前記ピット１０６上に移動したところで、前記フレ−ムアセンブリを下降し、ピット１０６上に設置する。
前記設置後、上部フレ−ム９８ａとフレ−ムアセンブリを連結し、それらを整備点検し、エスカレ−タ９８の運転を可能にしたところで、所定の作業を終了し、エスカレ−タ９７，９８の利用に供する。この状況は図２２および図２３のようである。
この後、仮設支柱９０と架設梁９０ａを撤去し、コンコ−ス８周辺を整備すれば、既設の乗降階段１２に対するエスカレ−タ９７，９８の一連の架け替え工事が終了する。
この状況は図２２および図２３のようである。
【００９４】
なお、前述の実施形態の仮設階段２２は仮設ササラ桁２５を介して左右に二分割し、中間部に単一の踊り場を設けているが、既設の乗降用階段１２が非常に幅広で、複数の踊り場を有する長尺の場合、これに応じて左右に複数分割し、かつ複数の踊り場を設け、その区画毎に複数のエスカレ−タを設置することが可能である。
【産業上の利用可能性】
【００９５】
このように本発明の仮設階段の施工法およびエスカレ−タの設置工法並びに仮設階段は、例えば駅構内の階段をエスカレ−タに架け替える際に好適で、既設階段の上に仮設階段を架設し、乗降客の通行の安全性と円滑性、並びに快適性を確保しながら既設階段を撤去するとともに、仮設階段を順次エスカレ−タに架け替え、合理的な施工と利用を図り、しかも従来の仮囲いを廃止し若しくは仮囲い期間を大幅に短縮して、作業の迅速化と工期の短縮化並びに工費の低減を図れるものである。
【図面の簡単な説明】
【００９６】
【図１】本発明を駅構内に設置した乗降用階段上に仮設階段を架設した状況を示す正面図である。
【図２】本発明を駅構内に設置した乗降用階段上に仮設階段を架設した状況を示す正面図で、前記仮設階段の中央部を示している。
【図３】本発明を適用した駅構内の乗降用階段に対する仮設階段の施工前の状況を示す正面図である。
【図４】本発明を適用した駅構内の乗降用階段に仮設階段を施工する際の状況を示す正面図で、前記乗降用階段の撤去後の状況を示している。
【図５】本発明を適用した仮設階段の階上側を示す正面図で、門型フレ−ムを付記している。
【図６】本発明を適用した仮設階段の上側半部を示す平面図である。
【００９７】
【図７】本発明を適用した仮設階段の下側半部を示す平面図である。
【図８】本発明を適用した仮設階段の中間踊り場付近を拡大して示す正面図である。
【図９】本発明を適用した仮設階段の中央部付近を拡大して示す正面図である。
【図１０】本発明を適用した仮設階段のステップ取付金具とステップ板との取り付け状況を拡大して示す正面図である。
【図１１】本発明を適用した仮設階段の下端部付近を拡大して示す正面図である。
【図１２】本発明を適用した仮設階段の中央部の仮設ササラ桁の組み付け状況を拡大して示す正面図である。
【００９８】
【図１３】本発明に適用した懸吊装置の一例の要部を拡大して示す正面図である。
【図１４】図１３の側面図である。
【図１５】本発明に適用した懸吊装置の別の要部を拡大して示す正面図である。
【図１６】図１５の側面図である。
【図１７】本発明に適用したエスカレ−タを三分割し、これらを施工現場に搬入する際の状況を示す正面図で、同図（ａ）は上部フレ−ムを示し、同図（ｂ）は中間フレ−ムを示し、同図（ｃ）は下部フレ−ムを示し、同図（ｄ）は下部フレ−ムと中間フレ−ムの組付け状況を示している。
【図１８】本発明に適用したエスカレ−タの上部フレ−ムの設置状況を示す正面図である。
【００９９】
【図１９】本発明に適用したエスカレ−タのフレ−ムアセンブリの設置状況を示す正面図である。
【図２０】本発明に適用したエスカレ−タのフレ−ムアセンブリの設置状況の中途状況を示す正面図である。
【図２１】本発明に適用したエスカレ−タの上部フレ−ムと、フレ−ムアセンブリとの連結状況を示す正面図である。
【図２２】本発明に適用したエスカレ−タの設置後の状況を示す正面図である。
【図２３】図２２の拡大平面図である。
【符号の説明】
【０１００】
１２                                              既設階段
２１                                              間隙
２２                                              仮設階段
２３〜２５                                        仮設ササラ桁
３０，３１                                        ステップ板
６７ａ，６７ｂ，６７ｃ〜７４ａ，７４ｂ，７４ｃ    懸吊装置
８７                                              支持部材（門型フレ−ム）
９７，９８                                        エスカレ−タ
【図１】
2005067844.tif 000003
【図２】
2005067844.tif 000004
【図３】
2005067844.tif 000005
【図４】
2005067844.tif 000006
【図５】
2005067844.tif 000007
【図６】
2005067844.tif 000008
【図７】
2005067844.tif 000009
【図８】
2005067844.tif 000010
【図９】
2005067844.tif 000011
【図１０】
2005067844.tif 000012
【図１１】
2005067844.tif 000013
【図１２】
2005067844.tif 000014
【図１３】
2005067844.tif 000015
【図１４】
2005067844.tif 000016
【図１５】
2005067844.tif 000017
【図１６】
2005067844.tif 000018
【図１７】
2005067844.tif 000019
【図１８】
2005067844.tif 000020
【図１９】
2005067844.tif 000021
【図２０】
2005067844.tif 000022
【図２１】
2005067844.tif 000023
【図２２】
2005067844.tif 000024
【図２３】
2005067844.tif 000025